(57)【要約】【課題】  情報記憶媒体に従って実行する印刷制御に関する新たな手法を提案すること。【解決手段】  印刷要求記憶データを情報記憶媒体から読み取る情報読取手段と、前記印刷要求記憶データに従って印刷要求通信データを生成する情報生成手段と、前記印刷要求通信データを送信する情報送信手段とを備え、前記情報生成手段は、前記印刷要求記憶データの読み取りの可否に従って前記印刷要求通信データを生成することを特徴とする情報読取装置。【選択図】  図１
2006331112.tif 000002
【特許請求の範囲】
【請求項１】
印刷要求記憶データを情報記憶媒体から読み取る情報読取手段と、
前記印刷要求記憶データに従って印刷要求通信データを生成する情報生成手段と、
前記印刷要求通信データを送信する情報送信手段とを備え、
前記情報生成手段は、前記印刷要求記憶データの読み取りの可否に従って前記印刷要求通信データを生成することを特徴とする情報読取装置。
【請求項２】
印刷要求通信データを受信する情報受信手段と、
前記印刷要求通信データの印刷要求に応じた印刷データを取得する情報取得手段と、
前記印刷データを送信する情報送信手段とを備え、
前記情報送信手段は、前記印刷要求通信データを生成するための印刷要求記憶データを読み取るために行われた印刷要求記憶データの読み取りの成否に従って前記印刷データを送信することを特徴とする情報管理装置。
【請求項３】
印刷要求通信データを受信する情報受信手段と、
前記印刷要求通信データの印刷要求に応じた印刷データを取得する情報取得手段と、
前記印刷データを印刷する印刷手段とを備え、
前記印刷手段は、前記印刷要求通信データを生成するための印刷要求記憶データを読み取るために行われた印刷要求記憶データの読み取りの成否に従って前記印刷データを印刷することを特徴とする印刷装置。
【請求項４】
印刷要求記憶データを情報記憶媒体から読み取る情報読取手段と、
前記印刷要求記憶データに従って印刷要求通信データを生成する情報生成手段と、
前記印刷要求通信データを送信する情報送信手段と、
前記印刷要求通信データの印刷要求に応じた印刷データを受信する情報受信手段と、
前記印刷データを印刷する印刷手段とを備え、
前記情報生成手段は、前記印刷要求記憶データの読み取りの可否に従って前記印刷要求通信データを生成することを特徴とする印刷装置。
【請求項５】
印刷要求記憶データを情報記憶媒体から読み取る情報読取手段と、
前記印刷要求記憶データの印刷要求に応じた印刷データを取得する情報取得手段と、
前記印刷データを印刷する印刷手段とを備え、
前記印刷手段は、前記印刷要求記憶データの読み取りの可否に従って前記印刷データを印刷することを特徴とする印刷装置。
【請求項６】
情報読取装置により実行される印刷制御方法であって、
印刷要求記憶データを情報記憶媒体から読み取る情報読取段階と、
前記印刷要求記憶データに従って印刷要求通信データを生成する情報生成段階と、
前記印刷要求通信データを送信する情報送信段階とを備え、
前記情報生成段階では、前記印刷要求記憶データの読み取りの可否に従って前記印刷要求通信データを生成することを特徴とする印刷制御方法。
【請求項７】
情報管理装置により実行される印刷制御方法であって、
印刷要求通信データを受信する情報受信段階と、
前記印刷要求通信データの印刷要求に応じた印刷データを取得する情報取得段階と、
前記印刷データを送信する情報送信段階とを備え、
前記情報送信段階では、前記印刷要求通信データを生成するための印刷要求記憶データを読み取るために行われた印刷要求記憶データの読み取りの成否に従って前記印刷データを送信することを特徴とする印刷制御方法。
【請求項８】
印刷装置により実行される印刷制御方法であって、
印刷要求通信データを受信する情報受信段階と、
前記印刷要求通信データの印刷要求に応じた印刷データを取得する情報取得段階と、
前記印刷データを印刷する印刷段階とを備え、
前記印刷段階では、前記印刷要求通信データを生成するための印刷要求記憶データを読み取るために行われた印刷要求記憶データの読み取りの成否に従って前記印刷データを印刷することを特徴とする印刷制御方法。
【請求項９】
印刷装置により実行される印刷制御方法であって、
印刷要求記憶データを情報記憶媒体から読み取る情報読取段階と、
前記印刷要求記憶データに従って印刷要求通信データを生成する情報生成段階と、
前記印刷要求通信データを送信する情報送信段階と、
前記印刷要求通信データの印刷要求に応じた印刷データを受信する情報受信段階と、
前記印刷データを印刷する印刷段階とを備え、
前記情報生成段階では、前記印刷要求記憶データの読み取りの可否に従って前記印刷要求通信データを生成することを特徴とする印刷制御方法。
【請求項１０】
印刷装置により実行される印刷制御方法であって、
印刷要求記憶データを情報記憶媒体から読み取る情報読取段階と、
前記印刷要求記憶データの印刷要求に応じた印刷データを取得する情報取得段階と、
前記印刷データを印刷する印刷段階とを備え、
前記印刷段階では、前記印刷要求記憶データの読み取りの可否に従って前記印刷データを印刷することを特徴とする印刷制御方法。
【請求項１１】
前記情報取得段階では、前記印刷要求記憶データの読み取りが可能な状態から不可能な状態に変わったときには、前記印刷データの取得を休止することを特徴とする請求項７、８、又は１０に記載の印刷制御方法。
【請求項１２】
前記情報取得段階では、前記印刷要求記憶データの読み取りが不可能な状態から可能な状態に戻ったときには、前記印刷データの取得を再開することを特徴とする請求項１１に記載の印刷制御方法。
【請求項１３】
前記情報取得段階では、前記印刷データを当該装置の内部の情報蓄積装置から取得することを特徴とする請求項７、８、又は１０に記載の印刷制御方法。
【請求項１４】
前記情報取得段階では、前記印刷データを当該装置の外部から通信により取得することを特徴とする請求項７、８、又は１０に記載の印刷制御方法。
【請求項１５】
前記情報蓄積装置に蓄積されている印刷関連蓄積データを削除する情報削除段階を更に備えることを特徴とする請求項１３に記載の印刷制御方法。
【発明の詳細な説明】
【技術分野】
【０００１】
本発明は、ＰＣ等の情報読取装置、ＰＣ等の情報管理装置、プリンタ／複写機／複合機等の印刷装置、印刷制御方法に関する。
【背景技術】
【０００２】
下記の特許文献には、印刷制御に関する種々の発明が開示されている。
【０００３】
特許文献１には、印刷処理の中止操作をＰＣで行う事でプリンタで実行中の印刷処理を中止できるような印刷制御に関する発明が開示されている。
【０００４】
特許文献２には、印刷ジョブの削除操作をＰＣで行う事でプリンタにある印刷データを削除できるような印刷制御に関する発明が開示されている。
【０００５】
特許文献３には、印刷データと印刷用紙のＲＦＩＤのＩＤ情報との対応関係を利用した印刷制御に関する発明が開示されている。
【０００６】
特許文献４には、ＰＣでの印刷要求時のＩＤ入力とプリンタでの印刷実行時のＩＤ入力とをＩＣカードを使用して実施するような印刷制御に関する発明が開示されている。
【特許文献１】特開平１１−２３２０５６号公報
【特許文献２】特開２００３−０４４２４３号公報
【特許文献３】特開２００４−２４９４９９号公報
【特許文献４】特開２００５−００１１５５号公報
【発明の開示】
【発明が解決しようとする課題】
【０００７】
特許文献１や特許文献２の発明では、印刷処理の中止や印刷情報の削除等の印刷制御が操作画面の操作内容に従って実行される。特許文献３や特許文献４の発明では、利用者の認証等の印刷制御が記憶媒体の記憶内容に従って実行される。利用者にとっては操作画面による印刷制御操作よりも記憶媒体による印刷制御操作のほうが便利なので、記憶媒体による印刷制御操作の許容範囲を広げる事は利用者の利便性を高める事になるだろう。
【０００８】
本発明は、情報記憶媒体に従って実行する印刷制御に関する新たな手法を提案することを課題とする。
【課題を解決するための手段】
【０００９】
本発明は、印刷要求記憶データを情報記憶媒体から読み取る情報読取手段と、前記印刷要求記憶データに従って印刷要求通信データを生成する情報生成手段と、前記印刷要求通信データを送信する情報送信手段とを備え、前記情報生成手段は、前記印刷要求記憶データの読み取りの可否に従って前記印刷要求通信データを生成することを特徴とする情報読取装置に係る。
【００１０】
本発明は、印刷要求通信データを受信する情報受信手段と、前記印刷要求通信データの印刷要求に応じた印刷データを取得する情報取得手段と、前記印刷データを送信する情報送信手段とを備え、前記情報送信手段は、前記印刷要求通信データを生成するための印刷要求記憶データを読み取るために行われた印刷要求記憶データの読み取りの成否に従って前記印刷データを送信することを特徴とする情報管理装置に係る。
【００１１】
本発明は、印刷要求通信データを受信する情報受信手段と、前記印刷要求通信データの印刷要求に応じた印刷データを取得する情報取得手段と、前記印刷データを印刷する印刷手段とを備え、前記印刷手段は、前記印刷要求通信データを生成するための印刷要求記憶データを読み取るために行われた印刷要求記憶データの読み取りの成否に従って前記印刷データを印刷することを特徴とする印刷装置に係る。
【００１２】
本発明は、印刷要求記憶データを情報記憶媒体から読み取る情報読取手段と、前記印刷要求記憶データに従って印刷要求通信データを生成する情報生成手段と、前記印刷要求通信データを送信する情報送信手段と、前記印刷要求通信データの印刷要求に応じた印刷データを受信する情報受信手段と、前記印刷データを印刷する印刷手段とを備え、前記情報生成手段は、前記印刷要求記憶データの読み取りの可否に従って前記印刷要求通信データを生成することを特徴とする印刷装置に係る。
【００１３】
本発明は、印刷要求記憶データを情報記憶媒体から読み取る情報読取手段と、前記印刷要求記憶データの印刷要求に応じた印刷データを取得する情報取得手段と、前記印刷データを印刷する印刷手段とを備え、前記印刷手段は、前記印刷要求記憶データの読み取りの可否に従って前記印刷データを印刷することを特徴とする印刷装置に係る。
【００１４】
本発明は、情報読取装置により実行される印刷制御方法であって、印刷要求記憶データを情報記憶媒体から読み取る情報読取段階と、前記印刷要求記憶データに従って印刷要求通信データを生成する情報生成段階と、前記印刷要求通信データを送信する情報送信段階とを備え、前記情報生成段階では、前記印刷要求記憶データの読み取りの可否に従って前記印刷要求通信データを生成することを特徴とする印刷制御方法に係る。
【００１５】
本発明は、情報管理装置により実行される印刷制御方法であって、印刷要求通信データを受信する情報受信段階と、前記印刷要求通信データの印刷要求に応じた印刷データを取得する情報取得段階と、前記印刷データを送信する情報送信段階とを備え、前記情報送信段階では、前記印刷要求通信データを生成するための印刷要求記憶データを読み取るために行われた印刷要求記憶データの読み取りの成否に従って前記印刷データを送信することを特徴とする印刷制御方法に係る。
【００１６】
本発明は、印刷装置により実行される印刷制御方法であって、印刷要求通信データを受信する情報受信段階と、前記印刷要求通信データの印刷要求に応じた印刷データを取得する情報取得段階と、前記印刷データを印刷する印刷段階とを備え、前記印刷段階では、前記印刷要求通信データを生成するための印刷要求記憶データを読み取るために行われた印刷要求記憶データの読み取りの成否に従って前記印刷データを印刷することを特徴とする印刷制御方法に係る。
【００１７】
本発明は、印刷装置により実行される印刷制御方法であって、印刷要求記憶データを情報記憶媒体から読み取る情報読取段階と、前記印刷要求記憶データに従って印刷要求通信データを生成する情報生成段階と、前記印刷要求通信データを送信する情報送信段階と、前記印刷要求通信データの印刷要求に応じた印刷データを受信する情報受信段階と、前記印刷データを印刷する印刷段階とを備え、前記情報生成段階では、前記印刷要求記憶データの読み取りの可否に従って前記印刷要求通信データを生成することを特徴とする印刷制御方法に係る。
【００１８】
本発明は、印刷装置により実行される印刷制御方法であって、印刷要求記憶データを情報記憶媒体から読み取る情報読取段階と、前記印刷要求記憶データの印刷要求に応じた印刷データを取得する情報取得段階と、前記印刷データを印刷する印刷段階とを備え、前記印刷段階では、前記印刷要求記憶データの読み取りの可否に従って前記印刷データを印刷することを特徴とする印刷制御方法に係る。
【発明の効果】
【００１９】
本発明は、情報記憶媒体に従って実行する印刷制御に関する新たな手法を提案するものである。
【発明を実施するための最良の形態】
【００２０】
（第１実施例）
図１は、第１実施例に係る印刷システム１０１を表す。図１の印刷システム１０１は、情報読取用のクライアントＰＣである情報読取用装置１１１、情報管理用のサーバＰＣである情報管理用装置１１２、プリンタ１１３により構成されている。図１の印刷システム１０１では、情報読取用装置１１１と情報管理用装置１１２とプリンタ１１３はＬＡＮやＷＡＮ等のネットワーク１２１により接続されている。図１の印刷システム１０１には、ＲＦＩＤタグやＲＦＩＤカード等によるＲＦＩＤチップ１３１を装備した携帯電話端末や携帯情報端末等の携帯端末１４１がアクセスする。
【００２１】
携帯端末１４１は、情報生成部２０１、情報書込部２０２等の機能ブロックを備える。情報生成部２０１は、印刷要求記憶データ（印刷要求を情報記憶媒体の記憶データとして授受するためのデータ）を生成する機能ブロックである。情報書込部２０２は、印刷要求記憶データを携帯端末１４１のＲＦＩＤチップ１３１に書き込む機能ブロックである。
【００２２】
情報読取用装置１１１は、情報読取部２１１、情報生成部２１２、情報送信部２１３等の機能ブロックを備える。情報読取部２１１は、印刷要求記憶データを携帯端末１４１のＲＦＩＤチップ１３１から読み取る機能ブロックである。情報生成部２１２は、印刷要求記憶データに従って印刷要求通信データ（印刷要求をデータ通信の通信データとして授受するためのデータ）を生成する機能ブロックである。情報送信部２１３は、印刷要求通信データを装置外部に送信する機能ブロックである。
【００２３】
情報管理用装置１１２は、情報受信部２２１、情報取得部２２２、情報送信部２２３等の機能ブロックを備える。情報受信部２２１は、印刷要求通信データを装置外部から受信する機能ブロックである。情報取得部２２２は、印刷要求通信データの印刷要求に応じた印刷データを装置内部又は装置外部から取得する機能ブロックである。情報送信部２２３は、印刷データを装置外部に送信する機能ブロックである。
【００２４】
プリンタ１１３は、情報受信部２３１、印刷部２３２等の機能ブロックを備える。情報受信部２３１は、印刷データを装置外部から受信する機能ブロックである。印刷部２３２は、印刷データを印刷する機能ブロックである。
【００２５】
印刷要求記憶データや印刷要求通信データには例えば、印刷コンテンツの識別情報や、利用者の識別情報，嗜好情報，課金情報，位置情報や、印刷装置の識別情報，位置情報等が包含される。印刷コンテンツの識別情報には例えば、印刷コンテンツのＵＲＬ（Ｕｎｉｆｏｒｍ  Ｒｅｓｏｕｒｃｅ  Ｌｏｃａｔｏｒ）やＵＲＮ（Ｕｎｉｆｏｒｍ  Ｒｅｓｏｕｒｃｅ  Ｎａｍｅ）が該当する。印刷装置の位置情報には例えば、印刷装置のＩＰ（Ｉｎｔｅｒｎｅｔ  Ｐｒｏｔｏｃｏｌ）アドレスが該当する。情報記憶媒体の容量の関係上、印刷装置の位置情報のようなデータサイズの大きな情報については、印刷要求記憶データには添付せず印刷要求通信データだけに添付するようにしてもよい。印刷要求記憶データや印刷要求通信データの記述形式については、ＸＭＬ（ｅＸｔｅｎｓｉｂｌｅ  Ｍａｒｋｕｐ  Ｌａｎｇｕａｇｅ）のように構造化された記述形式でもよいし、テキスト記述形式のように構造化されていない記述形式でもよい。
【００２６】
本実施例では印刷要求用の情報記憶媒体としてＲＦＩＤ（Ｒａｄｉｏ  Ｆｒｅｑｕｅｎｃｙ  Ｉｄｅｎｔｉｆｉｃａｔｉｏｎ）チップ１３１を採用しているため、情報記憶媒体による印刷要求の授受は無線方式で実施される。印刷要求用の情報記憶媒体としてその他の情報記憶媒体を採用する場合には、赤外線，ＩＥＥＥ８０２．１１ｂ，Ｂｌｕｅｔｏｏｔｈ（登録商標）等の無線方式や、ＵＳＢ，ＩＥＥＥ１３９４，Ｅｔｈｅｒｎｅｔ（登録商標）等の有線方式で、情報記憶媒体による印刷要求の授受が実施される。メモリカードを採用する場合には、メモリカードを挿抜するようにしてもよい。
【００２７】
情報取得部２２２は、情報管理用装置１１２の内部のＨＤＤやＲＯＭ等の情報蓄積装置１５１から印刷データを取得するようにしてもよいし、情報管理用装置１１２の外部からＮＦＳやＦＴＰ等による通信により印刷データを取得するようにしてもよい。前者（内部取得）には印刷時間を短縮できるなどの利点があり、後者（外部取得）にはネットワーク環境を有効活用できるなどの利点がある。なお、情報取得部２２２が情報蓄積装置１５１から印刷データを取得する場合には、情報蓄積装置１５１に蓄積されている印刷関連蓄積データを削除するような情報削除手段を情報管理用装置１１２に用意しておく事にして、情報蓄積装置１５１に蓄積されている印刷関連蓄積データを削除するような情報削除処理を情報管理用装置１１２が実行する事にしてもよい。印刷関連蓄積データとは、印刷要求記憶データや印刷要求通信データと同様のデータや、印刷部数，印刷枚数，印刷カラー，印刷サイズ等の印刷に関連する蓄積データである。情報削除手段の情報削除処理により、情報蓄積装置１５１の情報蓄積領域の枯渇が予防される。
【００２８】
図２は、第１実施例に係る印刷システム１０１で実行される印刷制御のフローチャートである。
【００２９】
先ず、携帯端末１４１が、印刷要求記憶データを生成（Ｓ２０１）する。続いて、携帯端末１４１が、当該印刷要求記憶データをＲＦＩＤチップ１３１に書き込む（Ｓ２０２）。
【００３０】
次に、情報読取用装置１１１が、当該印刷要求記憶データをＲＦＩＤチップ１３１から読み取る（Ｓ２１１）。次に、情報読取用装置１１１が、当該印刷要求記憶データに従って印刷要求通信データを生成（Ｓ２１２）する。次に、情報読取用装置１１１が、当該印刷要求通信データを外部に送信（Ｓ２１３）する。
【００３１】
次に、情報管理用装置１１２が、当該印刷要求通信データを外部から受信（Ｓ２２１）する。次に、情報管理用装置１１２が、当該印刷要求通信データの印刷要求に応じた印刷データを内部又は外部から取得（Ｓ２２２）する。次に、情報管理用装置１１２が、当該印刷データを外部に送信（Ｓ２２３）する。
【００３２】
次に、プリンタ１１３が、当該印刷データを外部から受信（Ｓ２３１）する。続いて、プリンタ１１３が、当該印刷データを印刷（Ｓ２３２）する。
【００３３】
図２のＳ２１１の処理について解説する。情報読取用装置１１１は、携帯端末１４１のＲＦＩＤチップ１３１を近づけると、当該携帯端末１４１のＲＦＩＤチップ１３１からの印刷要求記憶データの読み取りが「可能」な状態になる。情報読取用装置１１１は、携帯端末１４１のＲＦＩＤチップ１３１を遠ざけると、当該携帯端末１４１のＲＦＩＤチップ１３１からの印刷要求記憶データの読み取りが「不可能」な状態になる。
【００３４】
図２のＳ２１２の処理について解説する。情報読取用装置１１１は、携帯端末１４１のＲＦＩＤチップ１３１からの印刷要求記憶データの読み取りの可否に従って印刷要求通信データを生成するものとする。例えば、印刷要求記憶データの読み取りが最後まで可能であったときには、印刷要求記憶データの読み取りが「成功」した旨を印刷要求通信データに添付する。例えば、印刷要求記憶データの読み取りが途中で不可能になったときには、印刷要求記憶データの読み取りが「失敗」した旨を印刷要求通信データに添付する。
【００３５】
図２のＳ２２３の処理について解説する。情報管理用装置１１２は、携帯端末１４１のＲＦＩＤチップ１３１からの印刷要求記憶データの読み取りの成否に従って印刷データを送信するものとする。即ち、印刷要求通信データを生成するための印刷要求記憶データを読み取るために情報読取用装置１１１により実行された印刷要求記憶データの読み取りの成否に従って印刷データを送信する。例えば、印刷要求記憶データの読み取りが成功した旨が印刷要求通信データに添付されており、印刷要求記憶データの読み取りが成功した事が検出されたときには、印刷データの送信を「遂行」する。例えば、印刷要求記憶データの読み取りが失敗した旨が印刷要求通信データに添付されており、印刷要求記憶データの読み取りが失敗した事が検出されたときには、印刷データの送信を「中止」する。
【００３６】
図２のＳ２１２とＳ２２３の処理の効力により、印刷要求記憶データの読み取りの途中で携帯端末１４１を情報読取用装置１１１から遠ざけると、印刷が中止される事になる。従って、利用者は、印刷要求記憶データの読み取りの途中で携帯端末１４１を情報読取用装置１１１から遠ざけると言う簡単な操作で、印刷を中止できる事になる。即ち、図２のＳ２１２とＳ２２３の処理の効力により、利用者の利便性が向上されているのである。
（第２実施例）
図３は、第２実施例に係る印刷システム１０１を表す。図４は、第２実施例に係る印刷システム１０１で実行される印刷制御のフローチャートである。第２実施例は第１実施例の情報管理用装置１１２とプリンタ１１３を一体化（第２実施例のプリンタ１１３）したような構成となっている。これにより、情報管理用装置１１２が不要となり印刷システム１０１が簡略化されている。なお、図１と図３の同一符号の機能ブロックや図２と図４の同一番号の処理ステップは対応しているので、図３の機能ブロックや図４の処理ステップの詳細に関しては、図１の機能ブロックや図２の処理ステップに関しての解説を適宜参照されたい。
【００３７】
図４のＳ２１１の処理について解説する。情報読取用装置１１１は、携帯端末１４１のＲＦＩＤチップ１３１を近づけると、当該携帯端末１４１のＲＦＩＤチップ１３１からの印刷要求記憶データの読み取りが「可能」な状態になる。情報読取用装置１１１は、携帯端末１４１のＲＦＩＤチップ１３１を遠ざけると、当該携帯端末１４１のＲＦＩＤチップ１３１からの印刷要求記憶データの読み取りが「不可能」な状態になる。
【００３８】
図４のＳ２１２の処理について解説する。情報読取用装置１１１は、携帯端末１４１のＲＦＩＤチップ１３１からの印刷要求記憶データの読み取りの可否に従って印刷要求通信データを生成するものとする。例えば、印刷要求記憶データの読み取りが最後まで可能であったときには、印刷要求記憶データの読み取りが「成功」した旨を印刷要求通信データに添付する。例えば、印刷要求記憶データの読み取りが途中で不可能になったときには、印刷要求記憶データの読み取りが「失敗」した旨を印刷要求通信データに添付する。
【００３９】
図４のＳ２３２の処理について解説する。プリンタ１１３は、携帯端末１４１のＲＦＩＤチップ１３１からの印刷要求記憶データの読み取りの成否に従って印刷データを印刷するものとする。即ち、印刷要求通信データを生成するための印刷要求記憶データを読み取るために情報読取用装置１１１により実行された印刷要求記憶データの読み取りの成否に従って印刷データを印刷する。例えば、印刷要求記憶データの読み取りが成功した旨が印刷要求通信データに添付されており、印刷要求記憶データの読み取りが成功した事が検出されたときには、印刷データの印刷を「遂行」する。例えば、印刷要求記憶データの読み取りが失敗した旨が印刷要求通信データに添付されており、印刷要求記憶データの読み取りが失敗した事が検出されたときには、印刷データの印刷を「中止」する。
【００４０】
図４のＳ２１２とＳ２３２の処理の効力により、印刷要求記憶データの読み取りの途中で携帯端末１４１を情報読取用装置１１１から遠ざけると、印刷が中止される事になる。従って、利用者は、印刷要求記憶データの読み取りの途中で携帯端末１４１を情報読取用装置１１１から遠ざけると言う簡単な操作で、印刷を中止できる事になる。即ち、図４のＳ２１２とＳ２３２の処理の効力により、利用者の利便性が向上されているのである。
（第３実施例）
図５は、第３実施例に係る印刷システム１０１を表す。図６は、第３実施例に係る印刷システム１０１で実行される印刷制御のフローチャートである。第３実施例は第１実施例の情報読取用装置１１１とプリンタ１１３を一体化（第３実施例のプリンタ１１３）したような構成となっている。これにより、情報読取用装置１１１が不要となり印刷システム１０１が簡略化されている。なお、図１と図５の同一符号の機能ブロックや図２と図６の同一番号の処理ステップは対応しているので、図５の機能ブロックや図６の処理ステップの詳細に関しては、図１の機能ブロックや図２の処理ステップに関しての解説を適宜参照されたい。
【００４１】
図６のＳ２１１の処理について解説する。プリンタ１１３は、携帯端末１４１のＲＦＩＤチップ１３１を近づけると、当該携帯端末１４１のＲＦＩＤチップ１３１からの印刷要求記憶データの読み取りが「可能」な状態になる。プリンタ１１３は、携帯端末１４１のＲＦＩＤチップ１３１を遠ざけると、当該携帯端末１４１のＲＦＩＤチップ１３１からの印刷要求記憶データの読み取りが「不可能」な状態になる。
【００４２】
図６のＳ２１２の処理について解説する。プリンタ１１３は、携帯端末１４１のＲＦＩＤチップ１３１からの印刷要求記憶データの読み取りの可否に従って印刷要求通信データを生成するものとする。例えば、印刷要求記憶データの読み取りが最後まで可能であったときには、印刷要求記憶データの読み取りが「成功」した旨を印刷要求通信データに添付する。例えば、印刷要求記憶データの読み取りが途中で不可能になったときには、印刷要求記憶データの読み取りが「失敗」した旨を印刷要求通信データに添付する。
【００４３】
図６のＳ２２３の処理について解説する。情報管理用装置１１２は、携帯端末１４１のＲＦＩＤチップ１３１からの印刷要求記憶データの読み取りの成否に従って印刷データを送信するものとする。即ち、印刷要求通信データを生成するための印刷要求記憶データを読み取るためにプリンタ１１３により実行された印刷要求記憶データの読み取りの成否に従って印刷データを送信する。例えば、印刷要求記憶データの読み取りが成功した旨が印刷要求通信データに添付されており、印刷要求記憶データの読み取りが成功した事が検出されたときには、印刷データの送信を「遂行」する。例えば、印刷要求記憶データの読み取りが失敗した旨が印刷要求通信データに添付されており、印刷要求記憶データの読み取りが失敗した事が検出されたときには、印刷データの送信を「中止」する。
【００４４】
図６のＳ２１２とＳ２２３の処理の効力により、印刷要求記憶データの読み取りの途中で携帯端末１４１をプリンタ１１３から遠ざけると、印刷が中止される事になる。従って、利用者は、印刷要求記憶データの読み取りの途中で携帯端末１４１をプリンタ１１３から遠ざけると言う簡単な操作で、印刷を中止できる事になる。即ち、図６のＳ２１２とＳ２２３の処理の効力により、利用者の利便性が向上されているのである。
（第４実施例）
図７は、第４実施例に係る印刷システム１０１を表す。図８は、第４実施例に係る印刷システム１０１で実行される印刷制御のフローチャートである。第４実施例は第１実施例の情報読取用装置１１１と情報管理用装置１１２とプリンタ１１３を一体化（第４実施例のプリンタ１１３）したような構成となっている。これにより、情報読取用装置１１１と情報管理用装置１１２が不要となり印刷システム１０１が簡略化されている。なお、図１と図７の同一符号の機能ブロックや図２と図８の同一番号の処理ステップは対応しているので、図７の機能ブロックや図８の処理ステップの詳細に関しては、図１の機能ブロックや図２の処理ステップに関しての解説を適宜参照されたい。
【００４５】
図８のＳ２１１の処理について解説する。プリンタ１１３は、携帯端末１４１のＲＦＩＤチップ１３１を近づけると、当該携帯端末１４１のＲＦＩＤチップ１３１からの印刷要求記憶データの読み取りが「可能」な状態になる。プリンタ１１３は、携帯端末１４１のＲＦＩＤチップ１３１を遠ざけると、当該携帯端末１４１のＲＦＩＤチップ１３１からの印刷要求記憶データの読み取りが「不可能」な状態になる。
【００４６】
図８のＳ２３２の処理について解説する。プリンタ１１３は、携帯端末１４１のＲＦＩＤチップ１３１からの印刷要求記憶データの読み取りの可否に従って印刷データを印刷するものとする。例えば、印刷要求記憶データの読み取りが最後まで可能であったときには、印刷データの印刷を「遂行」する。例えば、印刷要求記憶データの読み取りが途中で不可能になったときには、印刷データの印刷を「中止」する。
【００４７】
図８のＳ２３２の処理の効力により、印刷要求記憶データの読み取りの途中で携帯端末１４１をプリンタ１１３から遠ざけると、印刷が中止される事になる。従って、利用者は、印刷要求記憶データの読み取りの途中で携帯端末１４１をプリンタ１１３から遠ざけると言う簡単な操作で、印刷を中止できる事になる。即ち、図８のＳ２３２の処理の効力により、利用者の利便性が向上されているのである。
【００４８】
図８のＳ２２２の処理の変形例について解説する。プリンタ１１３は、携帯端末１４１のＲＦＩＤチップ１３１からの印刷要求記憶データの読み取りが可能な状態から不可能な状態に変わったときには、印刷データの取得を「休止」するものとしてもよい。プリンタ１１３は、携帯端末１４１のＲＦＩＤチップ１３１からの当該印刷要求記憶データの読み取りが不可能な状態から可能な状態に戻ったときには、当該印刷データの取得を「再開」するものとしてもよい。
【００４９】
図８のＳ２２２の処理の変形例の効力により、印刷要求記憶データの読み取りの途中で携帯端末１４１をプリンタ１１３から遠ざけた後に再び近づけると、印刷が中止された後に再開される事になる。従って、利用者は、印刷要求記憶データの読み取りの途中で携帯端末１４１をプリンタ１１３から遠ざけたり近づけたりすると言う簡単な操作で、印刷を中止できたり再開できたりする事になる。即ち、図８のＳ２２２の処理の変形例の効力により、利用者の利便性が向上されているのである。
【００５０】
なお、印刷データの取得を休止したときは、印刷データ，印刷済部数，印刷済枚数等は印刷関連蓄積データとして保存されて、印刷データの取得が再開したときに再生される。当該変形例は、図２や図４や図６のＳ２２２の処理としても適用可能である。
【図面の簡単な説明】
【００５１】
【図１】第１実施例に係る印刷システムを表す。
【図２】第１実施例に係る印刷システムで実行される印刷制御のフローチャートである。
【図３】第２実施例に係る印刷システムを表す。
【図４】第２実施例に係る印刷システムで実行される印刷制御のフローチャートである。
【図５】第３実施例に係る印刷システムを表す。
【図６】第３実施例に係る印刷システムで実行される印刷制御のフローチャートである。
【図７】第４実施例に係る印刷システムを表す。
【図８】第４実施例に係る印刷システムで実行される印刷制御のフローチャートである。
【符号の説明】
【００５２】
１０１  印刷システム
１１１  情報読取用装置
１１２  情報管理用装置
１１３  プリンタ
１２１  ネットワーク
１３１  ＲＦＩＤチップ
１４１  携帯端末
１５１  情報蓄積装置
２０１  情報生成部
２０２  情報書込部
２１１  情報読取部
２１２  情報生成部
２１３  情報送信部
２２１  情報受信部
２２２  情報取得部
２２３  情報送信部
２３１  情報受信部
２３２  印刷部
【図１】
2006331112.tif 000003
【図２】
2006331112.tif 000004
【図３】
2006331112.tif 000005
【図４】
2006331112.tif 000006
【図５】
2006331112.tif 000007
【図６】
2006331112.tif 000008
【図７】
2006331112.tif 000009
【図８】
2006331112.tif 000010